(57)【特許請求の範囲】
【請求項１】
原水の流入口と処理水の流出口とを有し、微生物が担持された多数の担持体が、生物反応槽内に流入する原水中に浮遊する間に、その担持体に担持された微生物によって原水が処理される排水処理システムであって、
生物反応槽の底面に配置され、生物反応槽内の水を上部から吸い込んで斜め下方に向かって周囲に吐出することにより、担持体が撹拌混合された水を生物反応槽の底面に沿って流動させる水中撹拌機と、
生物反応槽の底面に沿って流動する水が担持体とともに流入するように、生物反応槽内に上下方向に沿って配置された上昇流路と、
この上昇流路内の水が担持体とともに上方に流動するように、上昇流路内の水を曝気する曝気手段と、
曝気手段にて曝気された水から担持体が重力分離されて、担持体が分離された水が流入するように生物反応槽内に設けられた処理水水路と、
該処理水水路からオーバーフローした水が流入するように、この処理水水路に隣接して設けられた流出水路あるいは処理水路と、
を具備することを特徴とする排水処理システム。
【請求項２】
前記担持体は、  無機材料の粉末を含有する有機高分子材料によって、粒子径が０．５〜５．０ｍｍ、比重が１．０３〜１．１５の含水ゲル状に構成されたものである請求項１に記載の排水処理システム。
【請求項３】
前記担持体は、生物反応槽内に、生物反応槽の水に対して、５〜２０容量％程度が収容されている請求項１に記載の排水処理システム。
【請求項４】
前記上昇流路は、生物反応槽の底面と適当な間隔をあけて垂直状態に配置されたドラフト管で形成され、該ドラフト管の上端面には、上昇流路内の水を吸引して、周囲に向かって吐出する曝気撹拌装置が設けられている請求項１に記載の排水処理システム。
【発明の詳細な説明】
【０００１】
【発明の属する技術分野】
本発明は、公共下水、工場排水等の排水を、担持体に担持された微生物によって生物学的に処理する排水処理システムに関する。
【０００２】
【従来の技術】
公共下水、工場排水等の排水は、通常、排水処理施設等によって浄化処理されるようになっており、また、最近では、環境汚染を一層確実に防止するために、下水処理施設等の処理能力の向上、および、処理水の水質の向上が要求されている。このために、排水処理施設では、排水中のＢＯＤ（生物的酸素要求量）およびアンモニア性窒素を、微生物を利用して低減させる生物学的処理方法が採用されている。このような生物学的処理方法の一つに、微生物が担持された担持体を、生物反応槽内の排水中に浮遊させて、好気的条件下において、担持体に担持された微生物によって排水を処理する方法がある。この場合、ＢＯＤは、排水中に浮遊する活性汚泥によって酸化分解され、アンモニア性窒素は、担持体に担持された硝化菌等の微生物によって、亜硝酸または硝酸に酸化処理される。
【０００３】
このような生物学的な処理方法では、生物反応槽を大型化することにより、処理能力を向上させることができる。しかしながら、都市部においては、下水処理施設を広い敷地面積で建設することが困難になっているために、生物反応槽の水深を７ｍ〜数十ｍ程度に深くして、処理能力を向上させることが行われている。このような深槽式の生物反応槽では、数ｍｍ程度の担持体に、微生物を包括固定あるいは結合させることによって担持して、処理される下水に対して５〜２０容量％の割合で配置して、生物反応槽の底部の全面から空気を供給して曝気するようになっている。
【０００４】
この場合、微生物が担持された担持体を下水中に浮遊させた状態で、２００mg／l のＢＯＤ濃度を１０mg／l 以下に低減させるとともに、４０mg／l のアンモニア性窒素を２mg／l 以下に低減させるためには、下水１ｍ3 当たり約６ｍ3 の曝気空気量が必要になる。通常、曝気のために使用される送風機の吐出圧力は、最大で７０００ｍｍ水柱圧程度であるために、水深が５ｍ以上の生物反応槽においては、底部の全面にわたって曝気するためには、吐出圧力が大きくなった特別仕様の送風機が必要になる。その結果、送風機自体が高価になるとともに、送風機による消費電力も増大し、経済性が損なわれることになる。
【０００５】
また、水深の深い部分にて曝気処理すると、水中に溶解する空気量が増加する。しかしながら、水中に多量の空気が溶解すると、後段の沈殿池では、溶解した空気が細かい気泡となって分離し、水中の懸濁固体に空気が付着して、懸濁固体の沈降分離が妨害されるおそれがある。
【０００６】
このような問題を解決するために、生物反応槽を上下２段に分離して、上段に流入する排水のみを曝気処理して、下段に流入する排水を嫌気条件にて脱窒処理する装置が提案されている。しかしながら、この場合には、生物反応槽の構造が複雑になる。また、下段部分は、上段にて覆われているために、維持管理が容易でないという問題もある。
【０００７】
これに対して、生物反応槽の内部を、垂直な仕切り板にて２つの処理室に分割し、各処理室同士を、仕切り板の上側および下側にて連通させるとともに、一方の処理室内に曝気装置を配置する排水処理システムも開発されている。この場合には、曝気装置が配置された処理室内にて水が上昇し、仕切り板の上側を通って他方の処理室内に水が流入するために、生物反応槽内にて、担持体が含まれた水が循環することになる。
【０００８】
しかし、このような構成では、生物反応槽における底面のコーナー部では、水が十分に流動せず、そのコーナー部にて担持体が堆積するおそれがある。コーナー部における担持体の堆積を防止するために、水の流速を速くすると、担持体自体が磨耗し、長期にわたって安定的に使用することができなくなる。
【０００９】
また、生物反応槽の内部に複数の円筒状の上昇流路を設けて、各上昇流路内に曝気装置をそれぞれ配置するとともに、各上昇流路の下方の底部に、下側になるにつれて順次狭くなった凹溝を設ける排水処理システムも開発されている。このような構成では、各上昇流路内の水が曝気装置によってそれぞれ上方に流動し、各上昇流路の上端部から吐出される。そして、各上昇流路から吐出される水に含まれる担持体が、重力によって分離されて沈降する。沈降した担持体は、各上昇流路の下方の各溝部内に流動して、水とともに各上昇流路内に流入することになり、担持体は、水とともに循環されることになる。
【００１０】
【発明が解決しようとする課題】
排水を処理する生物反応槽には、つりがね虫と称せられる７０〜１９０μｍ程度の微小動物（正式名：Epistylis urceolata ）が多量に発生することがある。このような微小動物が、生物反応槽の水中に含まれる担持体に付着すると、担持体の見掛け上の比重が０．１〜０．２程度小さくなる。このように、担持体の見掛け上の比重が軽くなると、担持体の沈降速度が遅くなる。担持体の沈降速度が、３ｃｍ／ｓ以下になると、担持体を重力によって分離させることができなくなるおそれがある。このような問題を防止するために、担持体の比重を大きくすると、担持体が生物反応槽の底部に堆積してしまう。
【００１１】
さらに、生物反応槽の底部に水中撹拌機を配置して、その水中撹拌機によって、生物反応槽内の水を、担持体とともに撹拌することを試みたところ、秒速２ｍ以上の流速域で、流れの剪断作用によって、つりがね虫は、付着しにくくなることが見出された。従って、このような方法で、担持体に対する微小動物の付着は防止することができる。しかし、生物反応槽のすみずみにまで担持体を均一に撹拌することは困難であり、担持体に担持された微生物による排水の処理効率が低下するという問題がある。
【００１２】
本発明は、このような問題を解決するものであり、その目的は、微生物が担持された担持体に微小動物が付着するおそれがなく、生物反応槽内に流入する排水を効率よく処理することができる排水処理システムを提供することにある。
【００１３】
【課題を解決するための手段】
本発明の排水処理システムは、原水の流入口と処理水の流出口とを有し、微生物が担持された多数の担持体が、生物反応槽内に流入する原水中に浮遊する間に、その担持体に担持された微生物によって原水が処理される排水処理システムであって、生物反応槽の底面に配置され、生物反応槽内の水を上部から吸い込んで斜め下方に向かって周囲に吐出することにより、担持体が撹拌混合された水を生物反応槽の底面に沿って流動させる水中撹拌機と、生物反応槽の底面に沿って流動する水が担持体とともに流入するように、生物反応槽内に上下方向に沿って配置された上昇流路と、この上昇流路内の水が担持体とともに上方に流動するように、上昇流路内の水を曝気する曝気手段と、曝気手段にて曝気された水から担持体が重力分離されて、担持体が分離された水が流入するように生物反応槽内に設けられた処理水水路と、該処理水水路からオーバーフローした水が流入するように、この処理水水路に隣接して設けられた流出水路あるいは処理水路と、を具備することを特徴とする。
【００１４】
前記担持体は、粒子径が０．５〜５．０ｍｍ程度、比重が１．０３〜１．１５程度である。
【００１５】
前記担持体は、無機材料の粉末を含有する有機高分子材料によって含水ゲルに構成されており、微生物が包括固定されている。
【００１６】
前記担持体は、生物反応槽内に、生物反応槽内の水に対して、５〜２０容量％程度が収容されている。
【００１８】
前記上昇流路は、生物反応槽の底面とは適当な間隔をあけて垂直状態に配置された隔壁と、生物反応槽の側面とによって構成されている。
【００１９】
前記原水の流入口は、生物反応槽の側面から、上昇流路内に向かって原水を吐出する。
【００２１】
前記生物反応槽の内部には、担持体が分離された水が流入するように処理水水路が設けられており、前記流出水路は、この処理水水路からオーバーフローする水が流入するようになっている。
【００２２】
前記上昇流路は、生物反応槽の底面と適当な間隔をあけて垂直状態に配置されたドラフト管で形成され、この上昇流路の上側に配置された曝気撹拌装置が、上昇流路内の水を吸引して、圧縮エアーと混合して周囲に吐出するようになっている。
【００２３】
【発明の実施の形態】
以下、本発明の実施の形態を、図面に基づいて詳細に説明する。
【００２４】
図１は、本発明の排水処理システムの実施の形態の一例を示す概略横断面図である。この排水処理システムでは、原水が流入する生物反応槽１１内にて、担持体に担持された微生物によって、原水が処理されるようになっている。生物反応槽１１は、幅寸法が１０ｍ程度であるのに対して、その奥行き長さは１００ｍ程度になっており、しかも、深さが１０ｍ程度の深層式になっている。生物反応槽１１の底面１１ａは、一方の側面１１ｂから他方の側面１１ｃにかけて、幅方向に沿って順次深くなるように傾斜している。
【００２５】
生物反応槽１１には、原水が流入する原水流入管１２が設けられている。原水流入管１２は、生物反応槽１１における側面１１ｃの外側に配管されており、その側面１１ｃの上下方向の中間部に連結された主管１２ａと、この主管１２ａから分岐して生物反応槽１１の底面１１ａに連結された枝管１２ｂとを有している。主管１２ａは、原水ポンプ１２ｄによって、原水を生物反応槽１１に供給するようになっており、また、原水ポンプ１２ｄから主管１２ａに吐出される原水には、曝気装置１５の空気供給管１５ｃによって、空気が混合されるようになっている。主管１２ａ内にて原水と混合される空気は、微細な気泡となって生物反応槽１１内に噴出する。気泡は、微細であるために、水中での滞留時間が長く、酸素の溶存効率が高められる。枝管１２ｂには、原水ポンプ１２ｅによって供給される原水が、開閉弁１２ｅを介して、生物反応槽１１の底部に供給されるようになっている。
【００２６】
生物反応槽１１の内部には、原水にふくまれるアンモニア性窒素を亜硝酸または硝酸にまで酸化する硝化菌が微生物として担持された多数の微小な担持体１３が収容されている。担持体は、無機材料の粉末を含有する有機高分子材料により、粒子径が０．５〜５．０ｍｍ程度、比重が１．０３〜１．１５程度の含水ゲルで構成されており、微生物が包括固定されている。担持体１３は、生物反応槽１１にて処理される水に対して５〜２０容量％程度の割合で、生物反応槽１１内の水中に混合されている。微生物が担持された担持体１３は、原水流入管１２から生物反応槽１１内に流入した原水内に浮遊して、担持体１３によって担持された微生物によって、その原水におけるアンモニア性窒素を酸化処理する。
【００２７】
生物反応槽１１の底面１１ａには、水中撹拌機１４が設けられている。この水中撹拌機１４は、底面１１ａの浅くなった側縁に近接して配置されており、生物反応槽１１内の水を上部から吸い込んで、斜め下方に向かって周囲に吐出するようになっている。水中撹拌機１４から吐出される水は、生物反応槽１１の底面１１ａに沿って流動する。
【００２８】
生物反応槽１１の内部には、底面１１ａの深くなった側縁に連続する側面１１ｃに沿った上昇流路１１ｅが形成されるように、長手方向に沿って隔壁１１ｄが設けられている。この隔壁１１ｄの下端部は、底面１１ａに対して適当な間隔があけられている。隔壁１１ｄは、側面１１ｃの上下方向中程までは、その側面１１ｃとは一定の間隔があけられた垂直状態になっており、隔壁１１ｄの上部は、上側になるにつれて順次側面１１ｃから離れるように傾斜している。従って、上昇流路１１ｅの上部は、上側になるにつれて順次広がった状態になっている。隔壁１１ｄの上端は、生物反応槽１１内に収容される水の水位よりも、適当な距離だけ下方に位置している。
【００２９】
隔壁１１ｄに近接した生物反応槽１１の側面１１ｃは、他方の側面１１ｂよりも高くなっている。また、この側面１１ｃよりも低くなった他方の側面１１ｂの上部外面には、この側面１１ｃからのオーバーフロー水が流入する流出水路１１ｆが設けられている。生物反応槽１１内からのオーバーフロー水は、この流出水路１１ｆを通って排水される。
【００３０】
生物反応槽１１には、流出水路１１ｆが設けられた側面１１ｂに近接して、分離壁２６が設けられている。この分離壁２６は、側面１１ｂとは適当な間隔をあけて垂直に配置されており、その下端部は、生物反応槽１１の中程に位置している。分離壁２６と側面１１ｂとの間には処理水水路２５が形成されている。前記水中撹拌機１４は、この処理水水路２５の下方に配置されている。
【００３１】
原水流入管１２から生物反応槽１１内に流入した原水は、水中撹拌機１４によって、担持体１３とともに、生物反応槽１１の底面１１ａに沿って流動し、隔壁１１ｄと底面１１ａとの間を通って上昇流路１１ｅ内に流入して、曝気空気によって、その上昇流路１１ｅ内を上昇する。上昇流路１１ｅ内を上昇した水は、担持体１３とともに、隔壁１１ｄの上方を通過して、生物反応槽１１の上部に流動し、生物反応槽１１内を循環流動する。分離壁２６と側面１１ｂとの間の処理水水路２５では、担持体１３の沈降速度よりも遅い上昇速度で  処理水が上昇し、担持体１３が水に対して重力分離されて沈降する。
【００３２】
原水流入管１２によって生物反応槽１１内に流入した原水は、生物反応槽１１内に収容された状態になり、その原水内を多数の微小な担持体１３が浮遊する。生物反応槽１１内の原水は、担持体１３とともに、底面１１ａに設けられた水中撹拌機１４によって、底面１１ａに沿って流動し、原水流入管１２の主管１２ａから曝気空気とともに吐出される原水によって、上昇流路１１ｅ内に流入されて上昇流路１１ｅ内を上昇する。このとき、上昇流路１１ｅ内を担持体１３とともに上昇する水は、原水内に吹き込まれた曝気空気によって曝気される。曝気された水は、担持体１３とともに、上昇流路１１ｅから生物反応槽１１の上部に流動し、生物反応槽１１内を循環する。
【００３３】
このように、生物反応槽１１内を流動する水は、その水中を浮遊する担持体１３にて担持された微生物である硝化菌によって、アンモニア性窒素が亜硝酸または硝酸に酸化される。また、排水中を浮遊する活性汚泥によって、生物要求酸素量（ＢＯＤ）が低減される。特に、曝気装置１５の各空気供給管１５ｃによって吹き込まれる曝気空気によって、生物反応槽１１内の水が曝気されるために、担持体１３に担持された硝化菌および活性汚泥が、好気条件下にて効率よく排水を処理する。
【００３４】
生物反応槽１１内を排水とともに流動する担持体１３は、比重が１．０３〜１．１５と、水の比重によりも若干大きくなっているために、処理水水路２５内には流入せずに、処理水から重力分離され、担持体１３は、水中を沈降する。そして、沈降した担持体１３は、水中撹拌機１４によって水とともに流動する。担持体１３が分離した処理水は、生物処理槽１１における低くなった側面１１ｂをオーバーフローして、流出水路１１ｆ内に排出される。
【００３５】
このような排水処理システムでは、曝気装置１５によって、排水に対する空気供給量を自由に変更することができるために、原水の水質および水量に応じた適正な曝気量に制御することができる。また、処理された水の酸素溶存量が多すぎることにより、後工程の沈殿池において、溶解した酸素が気泡となって分離して、懸濁固体の沈降が抑制されるようなおそれがない。
【００３６】
図２は、本発明の排水処理システムの実施の形態の他の例を示す斜視図である。この排水処理システムでは、微生物が担持された多数の担持体が収容されている生物反応槽１１内には、各側面１１ｂおよび１１ｃに沿って、上昇流路１１ｅがそれぞれ形成されるように、隔壁１１ｄが、生物反応槽１１の長手方向の全長にわたって、それぞれ垂直に設けられている。各上昇流路１１ｅの上下方向中程には、曝気装置の散気管１７が、それぞれ長手方向に沿って水平に設けられている。各散気管１７には、各側方に水平に突出する複数の枝管部１７ａが、長手方向に等しい間隔をあけて設けられており、各枝管部１７ａは、例えば、多孔性物質によって管状に構成されており、その内部に圧縮空気が供給されることにより、上方に向かって曝気空気が放出されるようになっている。
【００３７】
生物反応槽１１の幅方向中央部である各隔壁１１ｄの間には、それぞれが長手方向に沿って垂直に配置された一対の分離壁２６が適当な間隔をあけて設けられている。各分離壁２６の下端は、生物反応槽１１の上下方向の中程に位置しており、各分離壁２６の上端面には、長手方向に沿った波形状の越流堰が形成されている。各分離壁２６の間には、担持体に担持された微生物によって処理された処理水が上昇する処理水水路２５が形成されている。各分離壁２６の上部における隔壁１１ｄ側には、流出水路１１ｆが、長手方向に沿ってそれぞれ設けられている。各流出水路１１ｆは、各分離壁２６をオーバーフローする処理水が流入するようになっており、各流出水路１１ｆ内に流入した処理水が、生物反応槽１１の外部に排出される。
【００３８】
生物反応槽１１における底面１１ａの中央部には、水中撹拌機１４が設けられている。この水中撹拌機１４は、上部から吸引した水を、下部から周囲に吐出するようになっている。
【００３９】
このような排水処理システムでは、図示しない原水流入管から生物反応槽１１内に原水が流入すると、原水は、微生物が担持された担持体とともに、水中撹拌機１４によって撹拌されて、生物反応槽１１内における各側部に設けられた上昇流路１１ｅ内に流入する。各上昇流路１１ｅ内に流入した排水は、曝気装置の各散気管１７から上方に向かって放出される圧縮エアーによって、曝気されるとともに、上方に向かって流動される。曝気された排水は、担持体とともに、隔壁１１ｅと分離壁２６との間に流動して、その部分にて担持体が重力分離され、担持体が沈降する。担持体が沈降して分離された水は、各分離壁２６の間の処理水水路２５内に流入して、各分離壁２６の上端面からそれぞれオーバーフローし、流出水路１１ｆ内に排出される。
【００４０】
図３は、本発明の排水処理システムの実施の形態のさらに他の例を示す横断面図である。この排水処理システムでは、微生物が担持された担持体１３が収容された生物反応槽１１の上部に、分離槽１８が設けられている。この分離槽１８は、上端面および下端面が開放された四角筒状をしており、幅方向に沿って配置された各分離壁１８ａの上端面には、波形状の凹凸がそれぞれ設けられている。分離槽１８における各分離壁１８ａの上部外面には、水平な処理水路１８ｂがそれぞれ設けられており、各処理水路１８ｂの各端部が、枝管部１８ｃをそれぞれ介して、生物反応槽１１の上部を幅方向に貫通する排水管１９にそれぞれ連結されている。
【００４１】
生物反応槽１１における分離槽１８の中央部の下方である底面１１ａの中央部には、水中撹拌機１４が設けられている。この水中撹拌機１４は、上部から吸引される水を、斜め下方に向かって周囲に吐出するようになっている。また、上部の吸引口には、カバー３０が設けられており、水中撹拌機１４が停止したときに、生物反応槽１１内を沈降する担持体が撹拌機内に流入して堆積することを防止している。これにより、水中撹拌機１４内に流入して堆積した担持体によって、運転開始時に極端な負荷が水中撹拌機１４のモーターに加わることが防止され、モーターが破壊されることが防止されるとともに、担持体が破損することも防止することができる。
【００４２】
生物反応槽１１における幅方向の各側部には、上昇流路を構成するドラフト管２２がそれぞれ垂直に設けられている。各ドラフト管２２は、下端面が生物反応槽１１の底面１１ａに対して適当な間隔をあけた状態で配置されている。各ドラフト管２２の上端面は、生物反応槽１１における上下方向中央部よりも若干上方に位置している。
【００４３】
各ドラフト管２２の上端面には、曝気撹拌装置２１がそれぞれ連結されている。各曝気撹拌装置２１は、下方の水を吸引して、上部から斜め下方の周囲に向かって吐出するようになっている。各曝気撹拌装置２１には、生物反応槽１１の上方から生物反応槽１１内に配管した空気供給管２１ａが連結されており、この空気供給管２１ａによって供給される曝気空気が、曝気撹拌装置２１内に吸引された水内に混合される。
【００４４】
このような構成の排水処理システムでは、生物反応槽１１内に流入した原水が、生物反応槽１１の底面１１ａ中央部に設けられた水中撹拌機１４によって、微生物が担持された担持体とともに、生物反応槽１１の底面１１ａに沿って、周囲に拡散される。担持体とともに周囲に拡散された排水は、生物反応槽１１の所定位置に配置された各ドラフト管２２上の曝気撹拌装置２１によって、各ドラフト２２の下端面から、担持体とともに各ドラフト管２２内に吸引されて、ドラフト管２２内の上昇流路を上昇し、曝気撹拌装置２１にて、エアー供給管２１ａから供給される圧縮エアーが混合されることによって曝気された状態で、斜め下方に向かって周囲に吐出される。
【００４５】
このように、生物反応槽１１内にて水が循環する間に、担持体に担持された微生物である硝化菌および活性汚泥によって、排水中のアンモニア性窒素が亜硝酸または硝酸に酸化処理されるとともに、ＢＯＤが酸化分解される。
【００４６】
曝気撹拌装置２１から吐出される水に含まれる担持体は、水の比重に対して若干大きい１．０３〜１．１５の比重になっているために、分離槽１８の下方にて重力分離され、水中をゆっくりと沈降する。そして、沈降した担持体は、底面１１ａの中央部に配置された水中撹拌機１４によって周囲に拡散され、前述したように、曝気撹拌装置２１によって、ドラフト管２２内の上昇流路に吸引されて上昇し、曝気された状態で、分離槽１８の下方に循環される。
【００４７】
分離槽１８の下方に吐出された水は、担持体に担持された微生物、および活性汚泥によって処理されており、担持体が重力分離された状態で、分離槽１８内に流入して、分離槽１８における各分離壁１８ａからオーバーフローし、処理水路１８ｂおよび枝管部１８ｃを通って排水管１９内に排出される。
【００４８】
このような排水処理システムでも、各曝気撹拌装置２１によって、排水に対するエアー供給量を自由に変更することができるために、処理された水の酸素溶存量が多すぎることにより、後工程の沈殿池において、溶解した酸素が気泡となって分離して懸濁固体の沈降が抑制されるようなおそれがない。
【００４９】
なお、上記実施の形態では、微生物が包括固定された担持体を使用する構成であったが、微生物が結合された担持体を使用するようにしてもよい。
【００５０】
【発明の効果】
本発明の排水処理システムは、このように、微生物が担持された担持体によって、生物反応槽内の排水を処理する際に、生物反応槽の底面に配置された水中撹拌機によって、排水を担持体とともに底面に沿って流動させて、上昇流路内に流入させて、上昇流路内にて曝気するとともに上昇させた後に、重力分離によって担持体を分離させるようになっているために、深槽式の生物反応槽の全体にわたって担持体を撹拌することができ、微小動物が担持体に付着して、担持体が重力分離できなくなるようなおそれがない。また、担持体が生物反応槽のコーナー部に堆積するようなおそれもなく、担持体に担持された微生物によって、排水を長期にわたって安定的に処理することができる。担持体と水との分離に比重差を利用して、網面等のスクリーンを使用していないために、スクリーンの目詰まりの解消させる等の作業が不要になり、維持管理が容易である。
【図面の簡単な説明】
【図１】本発明の排水処理システムの実施の形態の一例を示す断面図である。
【図２】本発明の排水処理システムの実施の形態の他の例を一部破断して示す斜視図である。
【図３】本発明の排水処理システムの実施の形態のさらに他の例を示す要部の断面図である。
【符号の説明】
１１  生物反応槽
１１ａ  底面
１１ｂ  側面
１１ｃ  側面
１１ｄ  隔壁
１１ｅ  上昇流路
１１ｆ  流出水路
１２  原水流入管
１２ａ  主管
１２ｂ  枝管
１３  担持体
１４  水中撹拌機
１５  曝気装置
１５ｃ  空気供給管
１７  散気管
１８  分離槽
２１  曝気撹拌装置
２２  ドラフト管
２５  処理水水路
２６  分離壁
【図１】
0003652473.tif 000002
【図２】
0003652473.tif 000003
【図３】
0003652473.tif 000004